(57)【特許請求の範囲】
【請求項１】
内燃機関の回転に同期して電圧を誘起する発電コイルと、内燃機関の回転に同期して、前
記発電コイルが誘起する電圧より低レベルの電圧を誘起するトリガコイルと、前記発電コ
イルの誘起電圧を充電する点火用充放電コンデンサと、該点火用充放電コンデンサに充電
された電荷をオン時に放電させてイグニッションコイルに供給する第１のサイリスタと、
前記発電コイルおよびトリガコイルのそれぞれにダイオードを介して接続され、これらの
発電コイルおよびトリガコイルの誘起電圧の一部を充電するトリガ制御用コンデンサと、
該トリガ制御用コンデンサの充電電圧が設定レベルに達するとオンになり、前記発電コイ
ルの前記一部の誘起電圧を接地方向にバイパスさせることで前記第１のサイリスタのトリ
ガを阻止して、前記点火用充放電コンデンサへの前記充電を可能にし、続くトリガコイル
の誘起電圧の設定電位で、前記第１のサイリスタをオンとし、前記点火用充放電コンデン
サの充電電荷を放電させて、点火回路を駆動させる第２のサイリスタと、前記トリガ制御
用コンデンサに並列接続され、オン操作によって当該トリガ制御用コンデンサを短絡して
、前記第２のサイリスタをオフにすることで、前記第１のサイリスタへのトリガ電流の供
給を可能にしてこれをオンとし、前記発電コイルを短絡させるストップスイッチと、該ス
トップスイッチに並列接続され、該ストップスイッチの開状態において、前記発電コイル
、トリガコイル、第１のサイリスタおよび第２のサイリスタからなる点火制御回路を包む
プラスチックのケーシング表面に蓄積された静電気にもとづき前記点火制御回路に流れよ
うとするサージ電流を吸収するためのサージ吸収素子と、を備えることを特徴とする内燃
機関の無接点点火装置。
【発明の詳細な説明】
【技術分野】
【０００１】
本発明は、内燃機関の運転中にストップスイッチを操作することによって、前記内燃機
関を失火制御に導くための内燃機関の無接点点火制御装置に関する。
【背景技術】
【０００２】
従来から、内燃機関の回転に同期して誘起された誘起起電力に基づき、所定の制御タイ
ミングで点火プラグに火花を発生させて内燃機関の運転を継続させ、一方、ストップスイ
ッチ操作によって内燃機関を失火制御に導き、内燃機関を自動停止させる内燃機関の無接
点点火制御装置が提案されている（例えば、引用文献１参照）。
【０００３】
図５は、かかる従来の内燃機関の無接点点火制御装置を概念的に示すブロック図である
。図５において、発電コイル３１にはＣＤＩ型の点火制御回路３２および点火回路３３が
順に接続されており、発電コイル３１にはストップスイッチ３４が並列接続されている。
【０００４】
前記ストップスイッチ３４は内燃機関の運転中は開かれた状態を維持しており、内燃機
関を失火させて運転停止にする場合には、人為操作によって閉じられる。前記ストップス
イッチ３４の閉時には、発電コイル３１の両端子が短絡状態になり、点火制御回路３２等
への電力供給が停止されて、内燃機関の点火も停止される。
【０００５】
ところで、内燃機関は、噴霧機、農薬散布機、草刈機などの動力源として広く用いられ
、前記ストップスイッチ３４の閉操作時に点火制御回路による内燃機関の失火制御によっ
て、前記機器を停止可能にしている。一方、前記噴霧機等の機器では、ストップスイッチ
３４が噴霧器等におけるポンプ、ブロワー、回転刃などとともに前記発電コイル３１から
離れて、手元操作可能な、例えば支持部材の端部付近に設けられるのが一般的である。
【０００６】
内燃機関の無接点点火装置の小型化、ユニット化のために、発電コイル３１や点火制御
回路３２などは樹脂モールドされることがある。このように樹脂モールドされた発電コイ
ル３１や点火制御回路３２は前記噴霧機等の本体の一部または全部とともにプラスチック
のケーシングに収められる。
【０００７】
しかし、ストップスイッチ３４やこのストップスイッチ３４を接続する配線の一部は、
スイッチ操作を可能にするために、前記ケーシングの外に設置される。このため、少なく
とも前記ストップスイッチ３４の端子（一般に、コネクタ端子）は外部に露出することと
なる。
【０００８】
また、前記のような従来の内燃機関の無接点点火制御装置では、前記噴霧機等の内燃機
関の運転中において、前記ストップスイッチ３４が開状態であり、ブロワー等により送出
される空気との摩擦によって前記ケーシング表面に蓄積された静電気が、前記ストップス
イッチ３４の前記端子や該端子に接続された配線に飛び込むことがある。この場合には、
前記静電気はサージ電流となって発電コイル３１や点火制御回路３２内の電子部品に流れ
、これらの絶縁を破壊させたり、誤作動を惹き起こさせたりする。
【０００９】
これに対して、前記ストップスイッチ３４に、図５に鎖線で示すようなサージ吸収素子
３５を並列接続した無接点点火制御回路が提供されている。該構成によれば、前記ケーシ
ング表面に蓄積された前記静電気や、外部からの静電ノイズあるいは電磁ノイズがストッ
プスイッチの前記端子や配線に飛び込んでも、サージ吸収素子３５が発電コイル３１や点
火制御回路３２等へのサージ電流の進入を吸収（阻止）し、電子部品の絶縁破壊や誤動作
を未然に防止できる。
【先行技術文献】
【特許文献】
【００１０】
【特許文献１】特開２０００‐２４０５４９号公報
【発明の概要】
【発明が解決しようとする課題】
【００１１】
しかしながら、前記のような従来の内燃機関の無接点点火制御装置では、前記点火制御
回路における電子部品の絶縁破壊や誤動作を防止するために、前記ストップスイッチ３４
に高電圧用の、つまり耐電圧値の大きいサージ吸収素子３５を並列接続する必要があり、
このため、電子回路を搭載する回路基板等における前記サージ吸収素子３５のサイズが大
きくなり、点火制御回路および無接点点火制御装置全体の小型化およびローコスト化を妨
げるという問題があった。
【００１２】
本発明は、前記のような従来の問題を解決するものであり、無接点点火制御回路等の電
子部品を被うケーシング表面に蓄積された前記静電気が、ストップスイッチの端子や配線
に飛び込んだ場合にも、小型で耐電圧値の小さいサージ吸収素子を用いて、前記静電気に
基づく前記点火制御回路等へのサージ電流の侵入を阻止でき、該サージ電流による前記電
子部品の絶縁破壊や回路の誤動作を確実に回避することができる内燃機関の無接点点火制
御装置を得ることを目的とする。
【課題を解決するための手段】
【００１３】
前記目的達成のために、本発明にかかる内燃機関の無接点点火制御装置は、内燃機関の
回転に同期して電圧を誘起する発電コイルと、内燃機関の回転に同期して、前記発電コイ
ルが誘起する電圧より低レベルの電圧を誘起するトリガコイルと、前記発電コイルの誘起
電圧を充電する点火用充放電コンデンサと、該点火用充放電コンデンサに充電された電荷
をオン時に放電させてイグニッションコイルに供給する第１のサイリスタと、前記発電コ
イルおよびトリガコイルのそれぞれにダイオードを介して接続され、これらの発電コイル
およびトリガコイルの誘起電圧の一部を充電するトリガ制御用コンデンサと、該トリガ制
御用コンデンサの充電電圧が設定レベルに達するとオンになり、前記発電コイルの前記一
部の誘起電圧を接地方向にバイパスさせることで前記第１のサイリスタのトリガを阻止し
て、前記点火用充放電コンデンサへの前記充電を可能にし、続くトリガコイルの誘起電圧
の設定電位で、前記第１のサイリスタをオンとし、前記点火用充放電コンデンサの充電電
荷を放電させて、点火回路を駆動させる第２のサイリスタと、前記トリガ制御用コンデン
サに並列接続され、オン操作によって当該トリガ制御用コンデンサを短絡して、前記第２
のサイリスタをオフにすることで、前記第１のサイリスタへのトリガ電流の供給を可能に
してこれをオンとし、前記発電コイルを短絡させるストップスイッチと、該ストップスイ
ッチに並列接続され、該ストップスイッチの開状態において、前記発電コイル、トリガコ
イル、第１のサイリスタおよび第２のサイリスタからなる点火制御回路を包むプラスチッ
クのケーシング表面に蓄積された静電気にもとづき前記点火制御回路に流れようとするサ
ージ電流を吸収するためのサージ吸収素子と、を備えることを特徴とする。
【００１４】
この構成により、ストップスイッチが開状態である内燃機関の運転状態において、ケー
シング表面に帯電した静電気がストップスイッチの端子や、該端子と点火制御回路の各電
子部品とを結ぶ配線に飛び込んだ場合にも、前記静電気に基づくサージ電流を低電圧回路
側にある前記点火制御回路の電子部品に流すことなく、速やかにアースに落すことができ
る。このため、低電圧型で、小型かつローコストのサージ吸収素子を使いながら、電子部
品の絶縁破壊や誤作動を確実に回避することができる。
【発明の効果】
【００１５】
本発明によれば、内燃機関の運転中にストップスイッチの端子や該ストップスイッチに
接続された配線に、噴霧機等の本体ケーシング表面に蓄積された静電気が飛び込むような
ことがあっても、小型のサージ吸収素子の使用によって、前記静電気に基づくサージ電流
が点火制御回路の電子部品へ侵入するのを阻止でき、該電子部品の絶縁破壊や誤作動を確
実かつローコストに防止することができる。
【図面の簡単な説明】
【００１６】
【図１】本発明の実施形態による内燃機関の無接点点火制御装置を構成するロータとコアを一部破断して示す正面図である。
【図２】本発明の実施形態による内燃機関の無接点点火制御装置を示す回路図である。
【図３】図２に示す回路各部の電圧波形を示すタイミングチャートである。
【図４】ストップスイッチのオン時における充放電用コンデンサの充電波形を示すタイミングチャートである。
【図５】従来の内燃機関の無接点点火制御装置を概念的に示すブロック図である。
【発明を実施するための形態】
【００１７】
以下、本発明の実施の一形態を、図面を参照しながら説明する。図１は、本発明におけ
る内燃機関の無接点点火装置を構成する発電コイル１およびトリガコイル２のロータ３に
対する配置関係を示す説明図である。同図において、ロータ３は、例えばアルミなどの非
磁性体４内に、磁石５を挟むようにして一対の磁極６，７を埋設したものからなる。また
、前記各磁極６，７はロータ３の外周面に一部が図示のように露出しており、ロータ３の
回転中にコ字状のコア８の脚８ａ、８ｂの端面に対向可能とされている。
【００１８】
また、前記脚８ａ，８ｂにはそれぞれ前記発電コイル１およびトリガコイル２が巻装さ
れている。なお脚８ａ，８ｂのロータ３との対向面は円弧状に形成されて、ロータ３との
距離を一定に保つようになされている。
【００１９】
ここで、前記発電コイル１は、大容量の点火エネルギを点火用充放電コンデンサ１０に
充電する必要から、高電圧を誘起するように構成される。一方、トリガコイル２は、前記
点火用充放電コンデンサ１０の放電を瞬時に行わせるために、低レベルの制御用電圧を誘
起するように構成される。従って、このトリガコイル２を中心とする点火制御回路の電子
部品の耐電圧を低く抑えることができる。
【００２０】
図２は、本発明の内燃機関の無接点点火装置を示す回路図である。同図においては、発
電コイル１にダイオード９、点火用充放電コンデンサ１０およびイグニッションコイル１
１の一次コイル１１ａが直列接続され、これらは発電コイル１が誘起する正の電圧を点火
用充放電コンデンサ１０に充電する充電回路を構成している。
【００２１】
また、点火用充放電コンデンサ１０は、第１のスイッチング素子としての第１のサイリ
スタ１２のアノード・カソードおよびイグニッションコイル１１の一次コイル１１ａとと
もに直列接続されて、これらが点火用充放電コンデンサ１０の充電電荷を放電する放電回
路を構成している。該放電回路は、第１のサイリスタ１２がトリガされて導通したとき、
前記点火用充放電コンデンサ１０の充電電荷をイグニッションコイル１１に放出するよう
に機能する。
【００２２】
前記イグニッションコイル１１の二次コイル１１ｂには点火プラグ１３が接続されてい
る。また、前記第１のサイリスタ１２のアノード・カソード間には、イグニッションコイ
ル１１の一次側のＬＣ発振用ダイオード１４が接続されている。また、発電コイル１には
抵抗１５、ダイオード１６および抵抗１７が順に直列接続され、トリガコイル２には抵抗
１８および前記抵抗１７が順に直列接続されている。そして、ダイオード１６および抵抗
１７の接続点と抵抗１８と抵抗１７との接続点が第１のサイリスタ１２のゲートに接続さ
れている。
【００２３】
さらに、発電コイル１にはダイオード１９、抵抗２０およびトリガ制御用コンデンサ２
１が順に直列接続され、トリガコイル２には抵抗２２、ダイオード２３および前記トリガ
制御用コンデンサ２１が順に直列接続されている。また、発電コイル１には抵抗２８およ
びダイオード２９が順に直列接続されている。
【００２４】
トリガ制御用コンデンサ２１にはストップスイッチ２４およびサージ吸収素子としての
ツェナーダイオードやアバランシェダイオード（双方向降伏ダイオード）、ここではアバ
ランシェダイオード２５がそれぞれ並列接続されている。さらに、抵抗１５、とダイオー
ド１６との接続点および接地間には第２のスイッチング素子としての第２のサイリスタ２
６のアノード・カソードが接続され、この第２のサイリスタ２６のゲートは抵抗２７を介
して抵抗２０とトリガ制御用コンデンサ２１との接続点に接続されている。
【００２５】
次に、前記内燃機関の無接点点火制御装置の動作について説明する。まず、内燃機関が
作動し、ロータ３が図１において矢印Ａ方向に回転すると、このロータ３に対向するコア
８上の発電コイル１およびトリガコイル２には、図３（ａ）、（ｂ）に示す波形の電圧が
それぞれ誘起される。そして、この発電コイル１の誘起電圧のうち、正の誘起電圧は、ダ
イオード９、点火用充放電コンデンサ１０を介してイグニッションコイル１１の一次コイ
ル１１ａに印加されて、点火用充放電コンデンサ１０に電荷が充電される。この発電コイ
ル１の正の誘起電圧による充電電圧波形は、図３（ｃ）に示す通りである。
【００２６】
一方、トリガコイル２の誘起電圧のうち、正の誘起電圧は、発電コイル１の、正の誘起
電圧の立ち上がりより所定周期早く立ち上がる。これらのトリガコイル２の誘起電圧およ
び発電コイル１の誘起電圧の一部が、ダイオード１９および抵抗２０の直列回路および抵
抗２２およびダイオード２３の直列回路をそれぞれ介してトリガ制御用コンデンサ２１に
充電される。そして、この充電によってトリガ制御用コンデンサ２１両端の電位が設定レ
ベルに達すると、第２のサイリスタ２６はゲートのトリガによりオン（ターンオン）とな
る。
【００２７】
このため、発電コイル１の正の誘起電圧は抵抗１５および第２のサイリスタ２６のアノ
ード・カソードを通じて接地にバイパスされ、第１のサイリスタ１２のゲート電位が低下
して、この第１のサイリスタ１２はオフ（ターンオフ）となる。このため、発電コイル１
の正の誘起電圧が点火用充放電コンデンサ１０に充電される前述のような充電動作となる
。そして、この点火用充放電コンデンサ１０の充電に続いてトリガコイル２に正の電圧が
誘起され、この誘起電圧が第２のサイリスタ２６の所定のトリガレベル（ＴＬ）に達する
と、この第１のサイリスタ１２はターンオンする。
【００２８】
このため、充放電用コンデンサ１０に前述のように充電された電荷がこの第１のサイリ
スタ１２を通してイグニッションコイル１１の１次コイル１１ａに印加され、２次コイル
１１ｂに誘起された高電圧が点火プラグ１３に印加される。これにより、内燃機関におけ
る燃焼室内の混合気に点火が行われる。そして、かかるサイリスタ１２、２６による制御
動作の繰り返しによって、内燃機関の起動とこれに続く回転数の上昇が可能となる。
【００２９】
一方、無接点点火装置の前記動作において、ストップスイッチ２４はオフ状態を維持し
ている。そこで、内燃機関を持つ噴霧機等の動作を急速停止させる場合には、ストップス
イッチ２４をオン操作する。これによりストップスイッチ２４はトリガ制御用コンデンサ
２１を短絡し、このトリガ制御用コンデンサ２１への充電は不可能になり、抵抗１５を介
して流れ込む発電コイル１からの正の誘起電圧の所定レベルで第１のサイリスタ１２は直
ちにトリガされてオンになり、発電コイル１は短絡される。これにより発電コイル１から
充放電用コンデンサへの充電が図４（ａ）、（ｂ）に示すように停止され、内燃機関は失
火状態に陥って、回転を停止する。
【００３０】
前記ストップスイッチ２４は、前述のような手元操作を可能にするために、チェンソー
や噴霧機などの回転刃やブロワーから離れた指示部材の端部に取り付けられ、また、樹脂
モールドされた発電コイル１、トリガコイル２および点火制御回路等を包むケーシングの
外に設けられる。このため、前記ケーシング表面に蓄積された静電気がストップスイッチ
２４およびこのストップスイッチ２４に接続された配線の一部に前述のように飛び込む。
【００３１】
前記の場合には、その静電気がサージ電流となって前記発電コイル１や点火制御回路内
の電子部品に流れ込もうとするが、前記ストップスイッチ２４に並列接続されたアバラン
シェダイオード２５がそのサージ電流を吸収することとなる。このため、前記サージ電流
による電子部品の絶縁破壊や誤動作を確実に回避することができる。
【００３２】
本発明では、前記ストップスイッチ２４が、トリガコイル２が誘起する比較的低電圧を
電源として動作する点火制御回路に設置される。このため、ストップスイッチ２４および
これに接続された配線を流れる電流に乗るサージ電流もまた相対的に低レベルになり、該
サージ電流を吸収するサージ吸収素子も耐電圧が低いものを用いることが可能になる。
【００３３】
従って、このような耐電圧の低いツェナーダイオードやアバランシェダイオード２５な
どのサージ吸収素子として、従来、発電コイル１に並列接続されたものに比べて格段に小
型で、汎用性の高い安価なものを使用することができ、点火制御回路基板への搭載が容易
になるほか、装置全体の小型化を実現することができることになる。
【００３４】
以上のように、本実施に形態による内燃機関の無接点点火制御装置は、トリガ制御用コ
ンデンサ２１に並列接続されたストップスイッチ２４をオン操作することによって、その
トリガ制御用コンデンサ２１を短絡させることで、第２のサイリスタ２６をオフにし、こ
れにより第１のサイリスタ１２へのトリガ電流の供給を可能にして発電コイル１を短絡さ
せ、ストップスイッチ２４に並列接続されたサージ吸収素子２５に、該ストップスイッチ
２４の開状態において、発電コイル１、トリガコイル２、第１のサイリスタ１２および第
２のサイリスタ２６からなる点火制御回路を包むプラスチックのケーシング表面に蓄積さ
れた静電気にもとづき前記点火制御回路に流れようとするサージ電流を吸収させるように
構成したものである。
【００３５】
これにより、ストップスイッチ２４が開状態である内燃機関の運転状態において、ケー
シング表面に帯電した静電気がサージ（パルス状の高レベルのノイズ）電流としてストッ
プスイッチ２４の端子や、この端子と点火制御回路とを結ぶ配線に飛び込んだ場合にも、
このサージ電流を低電圧回路側にある点火制御回路の電子部品に流すことなく速やかにア
ースに落すことができる。このため、低電圧型で、小型かつローコストのツェナーダイオ
ード２５を使いながら、電子部品の絶縁破壊や誤作動を確実に回避することができる。
【産業上の利用可能性】
【００３６】
本発明の内燃機関の無接点点火制御装置は、無接点点火制御回路の電子部品を被うケー
シング表面に蓄積された静電気が、ストップスイッチの端子や配線に飛び込んだ場合にも
、小型で耐電圧値の小さいサージ吸収素子を用いて、前記静電気に基づく点火制御回路等
へのサージ電流の侵入を阻止でき、該サージ電流による前記電子部品の絶縁破壊や回路の
誤動作を確実に回避することができるという効果を有し、ストップスイッチを操作するこ
とによって内燃機関を失火制御に導くための無接点点火制御装置等に有用である。
【符号の説明】
【００３７】
１ 発電コイル
２ トリガコイル
１０ 点火用充放電コンデンサ
１１ イグニッションコイル
１２ 第１のサイリスタ（第１のスイッチング素子）
１３ 点火プラグ
２１ トリガ制御用コンデンサ
２４ ストップスイッチ
２５ アバランシェダイオード（サージ吸収素子）
２６  第２のサイリスタ（第２のスイッチング素子）
【図１】
0006463917.tif 000002
【図２】
0006463917.tif 000003
【図３】
0006463917.tif 000004
【図４】
0006463917.tif 000005
【図５】
0006463917.tif 000006